(57)【要約】  本開示は、少なくとも一つのパワー基板、少なくとも一つのパワー基板上に配置されたハウジング、および少なくとも一つのパワー基板に電気的に接続された第一の端子を含むパワーモジュールに関する。第一の端子は第一の高位にハウジングよりも上に位置する接触面を含む。パワーモジュールは、第一の高位とは異なる第二の高位にハウジングよりも上に位置する接触面を含む第二の端子、少なくとも一つのパワー基板に電気的に接続された第三の端子、および少なくとも一つのパワー基板に電気的に接続された複数のパワーデバイスを含む。【選択図】図２５
2020504459.tif 000002
【特許請求の範囲】
【請求項１】
パワーモジュールであって、
少なくとも一つのパワー基板と、
前記少なくとも一つのパワー基板上に配置されたハウジングと、
前記少なくとも一つのパワー基板に電気的に接続された第一の端子であって、第一の高位（ｅｌｅｖａｔｉｏｎ）に前記ハウジングよりも上に位置する接触面を備える前記第一の端子と、
前記第一の高位とは異なる第二の高位に前記ハウジングよりも上に位置する接触面を備える第二の端子と、
前記少なくとも一つのパワー基板に電気的に接続された第三の端子と、
前記少なくとも一つのパワー基板に電気的に接続された複数のパワーデバイスと、
を備える、パワーモジュール。
【請求項２】
請求項１に記載のパワーモジュールであって、
前記少なくとも一つのパワー基板から電気的に絶縁されるように構成された絶縁構造をさらに備え、
前記第二の端子が前記絶縁構造に接続されてそれよりも上に配置され、前記少なくとも一つのパワー基板から電気的に絶縁され、
前記絶縁構造が、前記ハウジングに位置する埋め込まれた絶縁部品、前記少なくとも一つのパワー基板上に配置された二次パワー基板、前記少なくとも一つのパワー基板上に配置された膜絶縁部品、および前記ハウジング内に位置する懸架絶縁構造のうち少なくとも一つを備える、
前記パワーモジュール。
【請求項３】
電流が前記第一の端子から前記少なくとも一つのパワー基板を横切って第一の方向に流れ、インピーダンスを低減するために前記電流が前記少なくとも一つのパワー基板から前記第二の端子へと第二の方向に流れる、請求項１に記載のパワーモジュール。
【請求項４】
前記複数のパワーデバイスのうち少なくとも一つが前記第二の端子にさらに接続され、前記少なくとも一つのパワー基板が少なくとも二つのパワー基板を備える、請求項１に記載のパワーモジュール。
【請求項５】
請求項１に記載のパワーモジュールであって、
前記少なくとも一つのパワー基板に対して搭載されたゲート−ソースボードであって、前記複数のパワーデバイスに電気的に接続された、前記ゲート−ソースボードと、
前記ハウジング内に配置されて前記ゲート−ソースボードに電気的に接続されたセンサであって、温度センサおよび過電流センサのうち少なくとも一つを備える前記センサと、
をさらに備える、前記パワーモジュール。
【請求項６】
請求項１に記載のパワーモジュールを備えるシステムであって、
前記第一の端子に電気的に接続された第一のバスバーと、
前記第二の端子に電気的に接続された第二のバスバーと、
をさらに備え、
前記第一のバスバーおよび前記第二のバスバーが互いに上下に配置され、
電流が前記第一のバスバーから前記第一の端子へ前記少なくとも一つのパワー基板を横切って第一の方向に流れ、インピーダンスを低減するために前記電流が前記少なくとも一つのパワー基板から前記第二の端子、次いで前記第二のバスバーへ第二の方向に流れる、
前記システム。
【請求項７】
前記第一のバスバーが前記第一の高位で前記第一の端子に接続するように位置し、前記第二のバスバーが前記第二の高位で前記第二の端子に接続するように位置し、前記第一のバスバーおよび前記第二のバスバーが共に積層される、請求項６に記載のシステム。
【請求項８】
請求項１に記載のパワーモジュールを備えるシステムであって、
前記第三の端子に接続されるように構成された位相出力バスバーと、
前記位相出力バスバーと共に配置された電流検知部品と、
をさらに備える、前記システム。
【請求項９】
請求項１に記載のパワーモジュールを備えるシステムであって、
前記パワーモジュールに一体化されるように構成されたゲートドライバモジュールであって、制御信号コネクタのうち一つまたは複数、絶縁された電源、信号絶縁体およびコンディショニングデバイス、増幅器ステージ、バルクゲート抵抗器および局所電流フィルタ、センサおよび保護部品、パワーモジュール信号コネクタ、およびクリーページ延長スロットのうち少なくとも一つを備える前記ゲートドライバモジュールをさらに備える、
前記システム。
【請求項１０】
請求項１に記載の複数のパワーモジュールを備えるシステムであって、前記複数のパワーモジュールがトポロジーパターンで配置され、前記トポロジーパターンが、ハーフブリッジ構成、フルブリッジ構成、共通ソース構成、共通ドレイン構成、中性点クランプ構成、および三相構成のうち少なくとも一つを形成する、前記システム。
【請求項１１】
パワーモジュールを含むシステムであって、
少なくとも一つのパワー基板と、
前記少なくとも一つのパワー基板上に配置されたハウジングと、
前記少なくとも一つのパワー基板に電気的に接続された第一の端子であって、前記ハウジングよりも上に位置する接触面を備える前記第一の端子と、
前記ハウジングよりも上に位置する接触面を備える第二の端子と、
前記少なくとも一つのパワー基板に電気的に接続された第三の端子と、
前記少なくとも一つのパワー基板に電気的に接続された複数のパワーデバイスと、
前記第一の端子に電気的に接続された第一の平面バスバーと、
前記第二の端子に電気的に接続された第二の平面バスバーと、
を備え、
前記第一の平面バスバーおよび前記第二の平面バスバーが互いに上下に配置される、
パワーモジュールを含むシステム。
【請求項１２】
電流が前記第一の平面バスバーから前記第一の端子へ前記少なくとも一つのパワー基板を横切って第一の方向に流れ、インピーダンスを低減するために前記電流が前記少なくともパワー基板から前記第二の端子、次いで前記第二の平面バスバーへ第二の方向に流れる、請求項１１に記載のパワーモジュールを備えるシステム。
【請求項１３】
前記第一の平面バスバーが第一の高位で前記第一の端子に接続するように位置し、前記第二の平面バスバーが第二の高位で前記第二の端子に接続するように位置し、前記第一の平面バスバーおよび前記第二の平面バスバーが共に積層される、請求項１１に記載のシステム。
【請求項１４】
前記複数のパワーデバイスのうち少なくとも一つが前記第二の端子にさらに接続され、前記少なくとも一つのパワー基板が少なくとも二つのパワー基板を備える、請求項１１に記載のシステム。
【請求項１５】
請求項１１に記載のシステムであって、
前記少なくとも一つのパワー基板に対して搭載されたゲート−ソースボードであって、前記複数のパワーデバイスに電気的に接続された、前記ゲート−ソースボードと、
前記ハウジング内に配置されて前記ゲート−ソースボードに電気的に接続されたセンサであって、温度センサおよび過電流センサのうち少なくとも一つを備える、前記センサと、
をさらに備える、前記システム。
【請求項１６】
請求項１１に記載のシステムであって、
前記少なくとも一つのパワー基板から電気的に絶縁されるように構成された絶縁構造をさらに備え、
前記第二の端子が前記絶縁構造に接続されてそれよりも上に配置され、前記少なくとも一つのパワー基板から電気的に絶縁され、
前記絶縁構造が、前記ハウジングに位置する埋め込まれた絶縁部品、前記少なくとも一つのパワー基板上に配置された二次パワー基板、前記少なくとも一つのパワー基板上に配置された膜絶縁部品、および前記ハウジングに位置する懸架絶縁構造のうち少なくとも一つを備える、
前記システム。
【請求項１７】
パワーモジュールであって、
少なくとも一つのパワー基板と、
前記少なくとも一つのパワー基板上に配置されたハウジングと、
前記少なくとも一つのパワー基板に電気的に接続された第一の端子であって、前記ハウジングよりも上に位置する接触面を備える前記第一の端子と、
前記ハウジングよりも上に位置する接触面を備える第二の端子と、
前記少なくとも一つのパワー基板に電気的に接続された第三の端子と、
前記少なくとも一つのパワー基板に電気的に接続された複数のパワーデバイスと、
を備え、
電流が前記第一の端子から前記少なくとも一つのパワー基板を横切って第一の方向に流れ、インピーダンスを低減するために前記電流が前記少なくとも一つのパワー基板から前記第二の端子へ第二の方向に流れる、
パワーモジュール。
【請求項１８】
請求項１７に記載のパワーモジュールであって、
前記少なくとも一つのパワー基板から電気的に絶縁されるように構成された絶縁構造をさらに備え、
前記第二の端子が前記絶縁構造に接続されてそれよりも上に配置され、前記少なくとも一つのパワー基板から電気的に絶縁され、
前記絶縁構造が、前記ハウジング内に位置する埋め込まれた絶縁部品、前記少なくとも一つのパワー基板上に配置された二次パワー基板、前記少なくとも一つのパワー基板上に配置された膜絶縁部品、および前記ハウジングに位置する懸架絶縁構造のうち少なくとも一つを備える、
前記パワーモジュール。
【請求項１９】
請求項１７に記載のパワーモジュールを備えるシステムであって、
前記第一の端子に電気的に接続された第一のバスバーと、
前記第二の端子に電気的に接続された第二のバスバーと、
をさらに備え、
前記第一のバスバーおよび前記第二のバスバーが互いに上下に配置され、
前記電流が前記第一のバスバーから前記第一の端子へ前記少なくとも一つのパワー基板を横切って前記第一の方向に流れ、インピーダンスを低減するために前記電流が前記少なくとも一つのパワー基板から前記第二の端子、次いで前記第二のバスバーへ前記第二の方向に流れる、
前記システム。
【請求項２０】
前記第一のバスバーが第一の高位で前記第一の端子に接続するように位置し、前記第二のバスバーが前記第一の高位とは異なる第二の高位で前記第二の端子に接続するように位置し、前記第一のバスバーおよび前記第二のバスバーが共に積層される、請求項１９に記載のシステム。
【請求項２１】
パワーモジュールを構成するためのプロセスであって、
少なくとも一つのパワー基板を設けることと、
前記少なくとも一つのパワー基板上にハウジングを設けることと、
第一の端子を前記少なくとも一つのパワー基板に電気的に接続することと、
第一の高位に前記ハウジングよりも上に位置する接触面を有する前記第一の端子を設けることと、
前記第一の高位とは異なる第二の高位に前記ハウジングよりも上に位置する接触面を備える第二の端子を設けることと、
前記少なくとも一つのパワー基板に電気的に接続された第三の端子を設けることと、
前記少なくとも一つのパワー基板に電気的に接続された複数のパワーデバイスを設けることと、
を含む、パワーモジュールを構成するためのプロセス。
【請求項２２】
請求項２１に記載のプロセスであって、
前記少なくとも一つのパワー基板から電気的に絶縁されるように構成された絶縁構造を設けることをさらに含み、
前記第二の端子が前記絶縁構造に接続されてそれよりも上に配置され、前記少なくとも一つのパワー基板から電気的に絶縁され、
前記絶縁構造が、前記ハウジングに位置する埋め込まれた絶縁部品、前記少なくとも一つのパワー基板上に配置された二次パワー基板、前記少なくとも一つのパワー基板上に配置された膜絶縁部品、および前記ハウジングに位置する懸架絶縁構造のうち少なくとも一つを備える、
前記プロセス。
【請求項２３】
電流が前記第一の端子から前記少なくとも一つのパワー基板を横切って第一の方向に流れ、インピーダンスを低減するために前記電流が前記少なくとも一つのパワー基板から前記第二の端子へ第二の方向に流れる、請求項２１に記載のプロセス。
【請求項２４】
請求項２１に記載のプロセスであって、
前記複数のパワーデバイスのうち少なくとも一つを前記第二の端子に接続することをさらに含み、
前記少なくとも一つのパワー基板が少なくとも二つのパワー基板を備える、
前記プロセス。
【請求項２５】
請求項２１に記載のプロセスであって、
前記第一の端子に電気的に接続された第一のバスバーを設けることと、
前記第二の端子に電気的に接続された第二のバスバーを設けることと、
をさらに含み、
前記第一のバスバーおよび前記第二のバスバーが互いに上下に配置され、
電流が前記第一のバスバーから前記第一の端子へ前記少なくとも一つのパワー基板を横切って第一の方向に流れ、インピーダンスを低減するために前記電流が前記少なくとも一つのパワー基板から前記第二の端子、次いで前記第二のバスバーへ第二の方向に流れる、
前記プロセス。
【請求項２６】
前記第一の高位で前記第一のバスバーが前記第一の端子に接続するように位置し、前記第二の高位で前記第二のバスバーが前記第二の端子に接続するように位置し、前記第一のバスバーおよび前記第二のバスバーが共に積層される、請求項２５に記載のプロセス。
【発明の詳細な説明】
【技術分野】
【０００１】
本開示はパワーデバイスを並列接続するための低インダクタンスおよび高速スイッチングを有するハイパワー多層モジュールに関する。さらには、本開示はパワーデバイスを並列接続するための低インダクタンスおよび高速スイッチングを有するハイパワー多層モジュールを構成するプロセスに関する。
【背景技術】
【０００２】
当業者には理解されるように、パワーモジュールは様々な形態が知られている。パワーモジュールはパワー部品、通常はパワー半導体デバイスに適した物理的な閉じ込めを提供する。これらのパワー半導体は典型的にはパワー電子基板に半田付けまたは焼結されている。パワーモジュールは典型的にパワー半導体を搬送し、電気的および熱的な接触を提供し、電気的な絶縁を含む。
【０００３】
しかしながら、パワーモジュール内の寄生インピーダンスにより現在の技術ではこれらのデバイスの実際の実施は制限される。具体的には、スイッチング事象中のループインダクタンスは電圧オーバーシュートおよびリンギングをもたらす可能性がある。これにより安定性が減少し、電磁妨害（ＥＭＩ）が生じ、システム部品に応力が加わる。最終的には、これらの要因により最大スイッチング周波数が制限される可能性があり、これはパワー変換システムの外部フィルタのサイズを小さくするためには望ましいことである。
【０００４】
したがって、必要なのは安定性を増加させ、スイッチング損失を減少させ、ＥＭＩを低減し、および／またはシステム部品にかかる応力を制限するために、ループインダクタンス等の寄生インピーダンスに対処するように構成されたパワーモジュールである。
【発明の概要】
【０００５】
本開示の態様によると、パワーモジュールは、少なくとも一つのパワー基板、少なくとも一つのパワー基板上に配置されたハウジング、少なくとも一つのパワー基板に電気的に接続された第一の端子、第一の高位（ｅｌｅｖａｔｉｏｎ）にハウジングよりも上に位置する接触面を備える第一の端子、第一の高位とは異なる第二の高位にハウジングよりも上に位置する接触面を備える第二の端子、少なくとも一つのパワー基板に電気的に接続された第三の端子、および少なくとも一つのパワー基板に電気的に接続された複数のパワーデバイスを含む。
【０００６】
本開示の態様によると、パワーモジュールを含むシステムは、少なくとも一つのパワー基板、少なくとも一つのパワー基板上に配置されたハウジング、少なくとも一つのパワー基板に電気的に接続された第一の端子、ハウジングよりも上に位置する接触面を備える第一の端子、ハウジングよりも上に位置する接触面を備える第二の端子、少なくとも一つのパワー基板に電気的に接続された第三の端子、少なくとも一つのパワー基板に電気的に接続された複数のパワーデバイス、第一の端子に電気的に接続された第一の平面バスバー、および第二の端子に電気的に接続された第二の平面バスバーを含み、第一の平面バスバーおよび第二の平面バスバーは互いに上下に配置される。
【０００７】
本開示の態様によると、パワーモジュールは、少なくとも一つのパワー基板、少なくとも一つのパワー基板上に配置されたハウジング、少なくとも一つのパワー基板に電気的に接続された第一の端子、ハウジングよりも上に位置する接触面を備える第一の端子、ハウジングよりも上に位置する接触面を備える第二の端子、少なくとも一つのパワー基板に電気的に接続された第三の端子、および少なくとも一つのパワー基板に電気的に接続された複数のパワーデバイスを含み、電流は第一の端子から少なくとも一つのパワー基板を横切って第一の方向に流れ、インピーダンスを低減するために電流は少なくとも一つのパワー基板から第二の端子へ第二の方向に流れる。
【０００８】
本開示の態様によると、パワーモジュールを構成するプロセスは、少なくとも一つのパワー基板を設けること、少なくとも一つのパワー基板上にハウジングを設けること、第一の端子を少なくとも一つのパワー基板に電気的に接続すること、第一の高位にハウジングよりも上に位置する接触面を有する第一の端子を設けること、第一の高位とは異なる第二の高位にハウジングよりも上に位置する接触面を備える第二の端子を設けること、少なくとも一つのパワー基板に電気的に接続する第三の端子を設けること、および少なくとも一つのパワー基板に電気的に接続する複数のパワーデバイスを設けることを含む。
【０００９】
本開示のさらなる特徴、利点、および態様は以下の詳細な説明、図面、および特許請求の範囲の考察から説明されるか、または明らかになるであろう。さらに、前述の本開示の概要および以下の詳細な説明はいずれも例示的なものであり、主張される本開示の範囲を制限することなくさらなる説明を提供することを意図したものであることを理解されたい。
【００１０】
本開示のさらなる理解を提供するために含まれる添付図面は本明細書に組み入れられ、本明細書の一部を構成し、本開示の態様を説明し、詳細な説明と共に本開示の原理を説明する役割を果たす。本開示の基本的な理解および本開示が実施され得る様々な方法に必要であり得るよりも詳細に本開示の構造上の詳細を示す試みはなされていない。
【図面の簡単な説明】
【００１１】
【図１Ａ】本開示の態様に基づくパワーモジュールのハーフブリッジベースのトポロジーを概略的に示している。
【図１Ｂ】図１ＡのＤＣリンクキャパシタとパワーモジュールの内側のスイッチポジションとの間の電流ループを示している。
【図２】本開示の態様に基づく様々な相互接続および関連するインピーダンスを示している。
【図３】本開示の態様に基づく様々な相互接続およびスイッチポジションの関連するインピーダンスを示している。
【図４Ａ】本開示の態様に基づくパワーモジュールの斜視的な概略図を示している。
【図４Ｂ】本開示の態様に基づくパワーモジュールの上面の概略図を示している。
【図５】本開示の態様に基づく並列な構成における複数の単一の位相モジュールを示している。
【図６Ａ】本開示の態様に基づく第一のパワーモジュール構成を示している。
【図６Ｂ】本開示の態様に基づく第二のパワーモジュール構成を示している。
【図７】本開示の態様に基づくフルブリッジ構成における複数のパワーモジュールを示している。
【図８】本開示の態様に基づく三相構成における複数のパワーモジュールを示している。
【図９】本開示の態様に基づくフルブリッジ構成を有する単一のパワーモジュールを示している。
【図１０】本開示の態様に基づくパワーモジュールの分解図を示している。
【図１１】図１０のパワーモジュールの部分図を示している。
【図１２Ａ】ハーフブリッジトポロジーにおいて各ノードが識別されている、本開示に基づいて構築されたパワーモジュールの位相レグの上面図を示している。
【図１２Ｂ】図１２Ａに基づくハーフブリッジトポロジーにおいて各ノードが識別されている、本開示に基づいて構築されたパワーモジュールの位相レグを概略的に示している。
【図１３】図１２Ａおよび図１２Ｂの位相レグの断面図を示している。
【図１４】電流経路を含む図１２Ａおよび図１２Ｂの位相レグの断面図を示している。
【図１５】本開示の態様に基づき、バスと共にパワーモジュールの接触面を示している。
【図１６Ａ−１６Ｃ】図１６Ａ〜図１６Ｃは、本開示の態様に基づくパワーモジュールの様々な態様の端子を示している。
【図１７】本開示の態様に基づく並列な複数のデバイスを概略的に示している。
【図１８】本開示の態様に基づく有効なゲートスイッチングループの斜視図を示している。
【図１９】本開示の態様に基づく有効なゲートスイッチングループの上面図を示している。
【図２０】本開示の態様に基づくパワーモジュールを含む部分的で例示的な実装を示している。
【図２１】本開示に基づく例示的な積層バスバーを示している。
【図２２】図２１に基づく例示的な積層バスバーの一部分を示している。
【図２３】図２１に基づく例示的な積層バスバーの別の部分を示している。
【図２４】本開示に基づく位相出力バスバーを示している。
【図２５】本開示の態様に基づく、パワーモジュールおよび積層バスバーを含む例示的な実装の斜視図を示している。
【図２６】図２５に基づく、パワーモジュールおよび積層バスバーを含む例示的な実装の第一の断面図を示している。
【図２７】図２５に基づく、パワーモジュールおよび積層バスバーを含む例示的な実装の第二の断面図を示している。
【図２８】本開示に基づく例示的な単一のモジュールゲートドライバを示している。
【図２９】本開示に基づく例示的な単一のモジュールゲートドライバを示している。
【図３０】本開示の態様に基づく電流検知部品を示している。
【図３１】図３０に基づく、位相出力バスバーと共に配置された電流検知部品を示している。
【図３２】本開示の態様に基づく例示的な三相モニタドライブパワーを示している。
【発明を実施するための形態】
【００１２】
本開示の態様ならびにそれらの様々な特徴および有利な詳細は、添付図面において説明および／または例示され、以下の明細書において詳細に説明される非限定的な態様および例を参照してより十分に説明される。図面に示される特徴は必ずしも一定の縮尺で描かれているわけではなく、一つの態様の特徴は本明細書において明示的に言及されなくとも当業者には認識されるような他の態様と共に用いられ得ることに留意されるべきである。周知の部品および処理技術の説明は本開示の態様を不必要に妨げることのないように省略され得る。本明細書で用いられる例は単に本開示が実施される方法の理解を容易にすること、および当業者が本開示の態様を実施することをさらに可能にすることを意図している。したがって、本明細書の例および態様は本開示の範囲を限定するものと解釈されるべきではなく、これは添付の特許請求の範囲および適用可能な法律によってのみ定義される。さらに、図面のいくつかの図を通して、同様の参照番号は同様の部分を表すことに留意されたい。
【００１３】
本開示は窒化ガリウム（ＧａＮ）、シリコンカーバイド（ＳｉＣ）等の最先端のワイドバンドギャップパワー半導体デバイスに最適化された構造を含み得るパワーモジュールを説明するものであり、これらは確立された技術との比較において大量の電流および電圧の搬送ならびにますます高速なスイッチングを可能にする。従来のパワーエレクトロニクスパッケージではこれらの半導体の機能性が制限されており、シリコン（Ｓｉ）デバイス技術向けの内部レイアウトを有している。
【００１４】
本開示のパワーモジュールは標準的なパッケージング手法よりも著しく低いループインダクタンスを有する並列接続されたデバイスの大きなアレイ間に均一に電流を分散させるように構成され得る。段になったパワー端子を有する多層電流経路はパワーモジュールとフィルタリングキャパシタとの間のインダクタンスを低減するバスシステムとの外部接続を簡単にする。パワーモジュールのレイアウトは高度に構成可能であり、パワーエレクトロニクス業界において一般的なほとんどのパワー回路トポロジーを採用するように構成され得る。
【００１５】
本開示のパワーモジュールは、よりタイトなパワーループおよび論理的な外部端子配置を追加することで、内部モジュール性能、システムレベルの実装、製造可能性、および使いやすさを著しく改善する。
【００１６】
これに関して、本開示のパワーモジュールは以下に挙げるもののうち少なくとも一つまたは複数を設けるように構成され得る。
高度に最適化された低インダクタンスパワーモジュール構造。
モジュール式、スケーラブル、およびフレキシブルなレイアウトおよびパワーフロー。
高電流スイッチポジションを形成するために均等化された並列接続するための多数のパワー半導体。
多数のパワー半導体を並列接続するために最適化されたゲートおよび検知信号構造。
温度検知および過電流保護のための検知コネクタ。
最大約１７００Ｖ以上の高電圧動作に適した形成ファクタ。
１７００Ｖの動作を超えるスケーラブルな高さ。
最適化された外部システム相互接続のための多層内部導体レイアウト。
様々な最先端の材料、付属品、絶縁体および相互接続技術を収容するように設計されたモジュール式内部構造。
高性能なシステムレベル一体化のための大幅な最適化。
並列接続が容易で、より高い電流まで直接スケールアップが簡単になること。
ハーフブリッジ、フルブリッジ、三相、および同様の配置を含む多種多様なトポロジーにおいて構成可能であること。
様々なパワー処理ニーズを満たすためのスケーラブルなシステム実装。
【００１７】
本質的に、本開示のパワーモジュール構成により有利なパワー半導体の能力の最大限に活用することが可能になり、パワー密度、スイッチング、効率等が著しく改善される。
【００１８】
パワーモジュールのパワーデバイスは、構造および目的の範囲にある。「パワーデバイス（ｐｏｗｅｒ ｄｅｖｉｃｅ）」という用語は高電圧および高電流用に設計された様々な形態のトランジスタおよびダイオードを指す。トランジスタは（デバイスのタイプに応じて）一方向または双方向に電流が流れるのを可能にする制御可能なスイッチであり、ダイオードは電流が一方向に流れるのを可能にし、制御可能でない場合もある。トランジスタのタイプには金属酸化物電界効果トランジスタ（ＭＯＳＦＥＴ）、ジャンクション電界効果トランジスタ（ＪＦＥＴ）、バイポーラジャンクショントランジスタ（ＢＪＴ）、絶縁ゲートバイポーラトランジスタ（ＩＧＢＴ）等を含むが、これらに限定されない。
【００１９】
パワーデバイスは窒化ガリウム（ＧａＮ）、シリコンカーバイド（ＳｉＣ）等を含むワイドバンドギャップ（ＷＢＧ）半導体を含んでもよく、またパワーデバイスの材料として従来のシリコン（Ｓｉ）よりも多くの利点を提供する。それにもかかわらず、本開示の様々な態様によりＳｉタイプのパワーデバイスを活用して本明細書で説明されるいくつかの利益が達成される。ＷＢＧ半導体の重要なメトリクスは以下に挙げる非限定的な態様のうち一つまたは複数を含み得る。
より高い電圧遮断。
より高い電流密度。
より高温の動作。
より高速なスイッチング。
改善された熱的性能。
より低い抵抗値（低減された導通損失）。
【００２０】
ターンオンおよびターンオフエネルギーを低下させる（スイッチング損失を低減する）。これら前述したＷＢＧ半導体の重要なメトリクスが必要にならず、また本開示のいくつかの態様において実装されない可能性があることを理解されるべきである。
【００２１】
ＷＢＧ半導体デバイスを有効に活用するために、（パワーパッケージとも呼ばれる）パワーモジュールが用いられる。パワーモジュールは以下に挙げる非限定的な態様のうち一つまたは複数を含むいくつかの機能を果たし得る。
有用なトポロジーへのパワー半導体デバイスの電気的な相互接続を提供する。
水蒸気、振動、汚染等から影響を受けやすいデバイスを保護する。
導通およびスイッチング損失の結果としてデバイスから生じた廃熱の除去のための有効で効率的な手段をもたらす。
内部レイアウトへのロバストなパワーおよび信号電気接続によりシステムレベルの実装が容易になる。パワーおよび信号電気接続はボルトでの固定、クランプでの固定、半田付け、プラグまたはレセプタクル、および同様の実装であり得る。
業界で採用されている標準に基づき、内部誘電体封入形成ならびに外部電圧クリーページおよびクリアランス距離により電圧安全性を提供する。
【００２２】
これら前述した機能が必要にならず、また本開示のいくつかの態様において実装されない可能性があることを理解されるべきである。
【００２３】
図１Ａは本開示の態様に基づくパワーモジュールのハーフブリッジベースのトポロジーを概略的に示している。ハーフブリッジベースのトポロジーは多数のスイッチングパワー変換器における基本的な構成要素である。モータデバイス、インバータ、およびＤＣ−ＤＣ変換器の場合、これらのトポロジーは典型的に、それらの間を媒介する接続としてＤＣリンクキャパシタ１０２のバンクを有するＤＣ源１１２に接続される。これは図１Ａにおいて概略的に示されている。ＤＣリンクキャパシタ１０２はライン上のリップルをフィルタリングし、電流経路におけるインダクタンスの影響を打ち消すために振る舞い得る。並列な二つのハーフブリッジはフルブリッジを形成することができ、並列な三つのハーフブリッジは三相トポロジーを形成することができる。三相トポロジーはシックスパックと呼ばれることも多く、三相レグ間の六つのスイッチポジションを意味する。さらに、他のトポロジーは共通ソース、共通ドレイン、および中性点クランプを含むパワーモジュールである場合が考えられる。
【００２４】
図１Ａは一つまたは複数のスイッチポジション１０４を有するパワーモジュール１００をさらに示している。パワーモジュール１００は第一の端子１０６、第二の端子１０８、および第三の端子１１０を含み得る。
【００２５】
図１Ｂは図１Ａのパワーモジュールの内側のＤＣリンクキャパシタとスイッチポジションとの間の電流ループを示している。パワーモジュール１００の内側のＤＣリンクキャパシタ１０２とスイッチポジション１０４との間の電流ループ１１４はシステムにおいて非常に重要であり、半導体のスイッチング性能に重大な影響を有する。
【００２６】
完全なシステムは無く、例えば、望ましくない寄生抵抗、容量、およびインダクタンスはあらゆる電気的なシステムに存在する。これらのインピーダンスは低減されるかまたは緩和されない限り、性能および信頼性に有害な影響をもたらす。抵抗値および容量は相互接続に関連し得るが、スイッチングパワーデバイスに対して最も影響があるのは寄生インダクタンスであり得る。より高いインダクタンスによって磁界に蓄えられるエネルギーがより高くなり、これによりスイッチング遷移中の電圧オーバーシュートおよびリンギングが発生する。
【００２７】
図２は本開示の態様に基づく様々な相互接続および関連するインピーダンスを示している。図１Ａで表されているパワーモジュール１００のハーフブリッジ構成のようなパワー変換システムの場合、ＤＣリンクキャパシタ１０２、バスシステム２０２、およびパワーモジュール１００等を含む各部品の内部、ならびにそれらの間の物理的な相互接続にインピーダンス２０４が存在する。これはインダクタンスの場合が図２に描写されている。より機能的な要素および関連するインピーダンスはパワー変換器に存在することも多いが、スイッチング性能の場合はこのループは最も重要であり得る。
【００２８】
ほとんどのパワー変換器では、これらのインダクタンスはシステム設計において慎重に説明されなければならない。多くの場合、これは寄生効果を打ち消すためにより多くのＤＣリンクキャパシタ１０２を追加すること、またはスイッチング速度を低下させることが必要になる。効果的である一方、（高電流および高電圧の両方が存在するより低速のスイッチング事象に起因する）より高い損失を伴うよりかさばったシステム（より大きく重いキャパシタ）が必要になる。
【００２９】
Ｓｉデバイスを対象としたパワーパッケージでは、Ｓｉ ＩＧＢＴに典型的なターンオン時間またはターンオフ時間は本来十分に低速であり、内部パワーループにおいて遭遇するインダクタンスは十分に低い。しかしながら、ＳｉＣ ＭＯＳＦＥＴ等のワイドバンドギャップデバイスの極めて高速なスイッチングの場合、従来のパッケージのインダクタンスにより数百ボルトの電圧オーバーシュートが発生する可能性がある。
【００３０】
これらの問題はパワーモジュール１００内で高い電流レベルに到達するために多数のＳｉＣデバイスと共に並列接続する必要があるため、さらに増幅される。様々な組み合わせのパワースイッチおよびダイオード（全てのスイッチ、全てのダイオード、インタリーブダイオード、エッジダイオード等）の並列接続されたアレイは「ポジション（ｐｏｓｉｔｉｏｎ）」または「スイッチポジション（ｓｗｉｔｃｈ ｐｏｓｉｔｉｏｎ）」と呼ばれる。スイッチポジション１０４内の各スイッチは共に単一の有効なスイッチとして振る舞い、有効抵抗値を低下させることによって回路が処理することができる電流量を増加するか、または全体の損失を低減する。
【００３１】
図３は本開示の態様に基づくスイッチポジションの様々な相互接続および関連するインピーダンスを示している。スイッチポジション１０４において、各スイッチまたはパワーデバイス３０２は構造内に各々の電流経路を有する。図３に示されるように、各相互接続は関連するインピーダンス２０４を有する。図３にさらに示されるように、スイッチポジション１０４は矢印３０４で表される記号によって示されるような任意の数のパワーデバイス３０２を含み得る。パワーデバイス３０２間で有効な電流経路が確実に均等化され、各々が適合したインダクタンスを見るように注意しなければならない。そうでなければ、スイッチング遷移中に遭遇する電流および電圧はスイッチポジション１０４にわたるパワーデバイス３０２間で等しく分配されず、部品に不均一な応力を加え、スイッチング損失を増加させる可能性がある。これは熱の影響により悪化する。すなわち、不均一な電流負荷およびスイッチング事象により不均一な熱上昇が発生し、半導体特性におけるドリフトおよび並列接続されたスイッチポジション１０４にわたるさらなる不安定性がもたらされる。
【００３２】
従来のパワーパッケージは典型的に単一のＳｉ ＩＧＢＴ、またはこれらのデバイスの小型アレイ（通常は四以下）用に設計される。その結果、クリーンで適切に制御されたスイッチングをもたらす方法で多数のＳｉＣ ＭＯＳＦＥＴおよびダイオード（または類似のワイドバンドギャップデバイス）を並列接続するためには好適ではない。
【００３３】
本開示のパワーモジュール１００はワイドバンドギャップデバイス等のパワーデバイス３０２に適した解決策を提供し、これは以下に挙げる非限定的な態様のうち一つまたは複数を含み得る。
パワーモジュール１００の内部インダクタンスを低減する。
スイッチポジション１０４内の並列接続されたパワーデバイス３０２間の均等化された電流経路を容易にする。
スイッチポジション１０４にわたってパワーデバイス３０２間の熱を等しく分配する。
ＤＣリンクキャパシタ１０２との低インダクタンスの相互接続を可能にする外部構造を有する。
高電圧（≧１７００Ｖ）で高電流（数百アンペア）を安全に搬送することができる。
【００３４】
これら前述したパワーモジュール１００の特性は本開示のいくつかの態様においては必要でなく、実装されない可能性があることを理解されるべきである。
【００３５】
図４Ａは本開示の態様に基づくパワーモジュールの概略的な斜視図を示しており、図４Ｂは本開示の態様に基づくパワーモジュールの概略的な上面図を示している。特には、図４Ａおよび図４Ｂにおいてパワーモジュール１００のハーフブリッジ構成が示されている。本開示のパワーモジュール１００は均一化された低インダクタンスの電流回路を処理する各スイッチポジション１０４を有する最も一般的なブリッジトポロジーが容易になるようにカスタム設計されたパワーレイアウトおよび関連する構造に関する前述の懸念の各々に対処する。端子１０６、１０８、１１０は外部フィルタリングＤＣリンクキャパシタ１０２への経路も同様に低インダクタンスを有し得るように配置することができ、単純な積層バスバーは、以下でさらに詳細に説明されるように曲げまたは特別な設計上の特徴を必要としない。
【００３６】
パワーモジュール１００の単一のハーフブリッジ構成のパワー端子のピン配列が図４Ａに描写されている。Ｖ＋端子１０６およびＶ−端子１０８はＤＣリンクキャパシタ１０２への電流ループを物理的に最小化するために（電圧クリアランスのための十分なスペースを有して）意図的に互いに近接して配置され得る。
【００３７】
パワーモジュール１００は信号端子５０２、５０４、５０６、５０８を含み得る。信号端子５０２、５０４、５０６、５０８の特定のピン配列はモジュール式であってもよく、必要に応じて調整されてもよい。その構成が図４Ａに示されている。示されるように、差動信号転送のために信号端子５０２、５０４、５０６、５０８用の四対の信号ピンがある。言うまでもなく、本開示に関連して説明した機能性を提供するために任意の数の信号ピンおよび任意の数の信号端子を実装することができる。各スイッチポジション１０４は最適な制御のためにゲート信号およびソースケルビン用の端子５０２、５０４を有する一対のピンを活用し得る。信号端子５０６、５０８の他のピンの対は内部温度センサ、過電流検知、または他の診断信号に使用され得る。電圧絶縁の問題が生じない限り、必要に応じてより多くのピンおよび／またはより多くの信号端子を任意の行に追加することも考えられる。いくつかの態様では、他の診断信号は振動等を検知するひずみゲージを含み得る診断センサから生成され得る。診断センサは湿度を測定することも可能である。さらに、診断センサは環境またはデバイスの特性を検知し得る。
【００３８】
図５は本開示の態様に基づく並列な構成内の複数の単相モジュールを示している。モジュール性は本開示のパワーモジュールには必須である。パワーモジュール１００の単相構成はより高い電流に到達するために容易に並列接続され得る。図５に示されるように、三つのパワーモジュール１００が示されているが、このような方法でいくつ構成することができるかについての制限はない。これに関して、矢印５１０はさらなるパワーモジュール１００を並列に配置し得ることを示している。並列接続される場合、対応する端子１０６、１０８、１１０の各々がパワーモジュール１００の各々の間に電気的に接続され得る。
【００３９】
図６Ａは本開示の態様に基づく第一のパワーモジュール構成を示しており、図６Ｂは本開示の態様に基づく第二のパワーモジュール構成を示している。本開示のパワーモジュール１００のスケーラビリティは別の明確な特徴であり得る。これは図６Ａおよび図６Ｂに描写されている。図６Ｂに示されるように、パワーモジュール１００の幅は図６Ａに示されるパワーモジュール１００と比較して各スイッチポジション１０４により多くの並列接続されたデバイスを収容するために延長され得る。パワーモジュール１００の電流の増加によりさらなるファスナホール５１２を端子１０６、１０８、１１０のパワーコンタクトに追加することができる。例えば、低インダクタンス、クリーンなスイッチング、高パワー密度等を含む本開示の利益を犠牲にすることなくほとんどのパワーレベルに適合するように、図５に示されるように並列接続され得るか、または図６Ｂに示されるようにスケーリングされ得ることに留意することが重要である。
【００４０】
図７は本開示の態様に基づくフルブリッジ構成のパワーモジュールを示しており、図８は本開示の態様に基づく三相構成のパワーモジュールを示しており、図９は本開示の態様に基づくフルブリッジ構成を有する単一のパワーモジュールを示している。いくつかの態様では、モジュール性は二つのパワーモジュール１００のフルブリッジ構成に関する図７および三つのパワーモジュール１００の三相構成の図８等の様々な電気的トポロジーの形態においてもみられ得る。これらのトポロジーの場合、Ｖ＋端子１０６およびＶ−端子１０８は相互接続されてもよく、位相出力端子１１０は分離されたままであってもよい。図７および図８の構成は単一のハウジングに配置することもでき、図９に示されるように共有ベースプレートで構成することもでき、ユニットの複雑さとコストのトレードオフによりパワー密度が増加し得る。
【００４１】
パワーモジュール１００の様々な配置、構成およびスケーリングされた幅のバージョンは、様々な用途およびパワーレベルをカバーするが、核となる内部部品およびレイアウトは同一のままであり得る。これによりパワーモジュール１００のモジュール性が強化される。この構造には、使いやすく、様々な顧客固有のシステムに合わせて拡張しながら高いレベルの性能を示すモジュールファミリが包含される。
【００４２】
図１０は本開示の態様に基づくパワーモジュールの分解図を示しており、図１１は図１０のパワーモジュールの部分図を示している。特には、図１０はパワーモジュール１００内のいくつかの要素を示している。これらの要素は、ベースプレート６０２、ガスケット６０４、一つまたは複数のパワー基板６０６、一つまたは複数のエッジパワーコンタクト６０８、一つまたは複数のスイッチポジション１０４、一つまたは複数の温度センサ６１０、ハウジング側壁６１２、中央パワーコンタクト６１４、信号相互接続アセンブリ６１６、ハウジング蓋６１８、ファスナ６２０、キャプティブファスナ６２２等のうち一つまたは複数を含む。さらに、パワーモジュール１００は本明細書で説明されるそれらよりも少ないか、または異なる要素を含み得ることが考えられる。
【００４３】
パワーモジュール１００はベースプレート６０２を含み得る。ベースプレート６０２はパワーモジュール１００に対して構造的なサポートを提供し、またパワーモジュール１００の熱管理により熱拡散が容易になる。ベースプレート６０２は銅、アルミニウム等のベース金属、または熱的に生成される応力を低減させるために適合する熱膨張係数（ＣＴＥ）を提供し得る金属基複合材料（ＭＭＣ）を含み得る。一つの態様では、ＭＭＣ材料は銅、アルミニウム等の高導電性金属と、モリブデン、ベリリウム、タングステン等の低ＣＴＥ金属および／またはダイアモンド、シリコンカーバイド、酸化ベリリウム、グラファイト、埋め込み熱分解性グラファイト等の非金属のいずれかとの複合材料としてもよい。材料に応じて、ベースプレート６０２は機械加工、鋳物成形、打ち抜き加工等によって形成され得る。ベースプレート６０２は、ベースプレート６０２の表面を保護し、半田付け性を改善するためにニッケル、銀、金等の金属メッキを有し得る。一つの態様では、ベースプレート６０２は平坦な裏面を有し得る。一つの態様では、ベースプレート６０２はリフロー後の平面性を改善するために凸型のプロファイルを有し得る。一つの態様では、ベースプレート６０２は直接冷却するためにピンフィンを有し得る。
【００４４】
パワーモジュール１００はガスケット６０４を含み得る。ガスケット６０４は液密シールを設けることによって封入成形プロセスを改善し得る。これに関して、パワーモジュール１００は内部に誘電体封入成形を含み得る。ガスケット６０４は射出成形、吐出等されてもよく、ハウジング側壁６１２の溝に適用され、ハウジング側壁６１２とベースプレート６０２との間で圧縮され得る。
【００４５】
パワーモジュール１００は一つまたは複数のパワー基板６０６を含み得る。一つまたは複数のパワー基板６０６はパワーデバイス３０２に電気的な相互接続、電圧絶縁、熱伝達等を提供し得る。一つまたは複数のパワー基板６０６は直接接合銅（ＤＢＣ）、活性金属ロウ付け（ＡＭＢ）、絶縁金属基板（ＩＭＳ）等として構築され得る。ＩＭＳ構造の場合、一つまたは複数のパワー基板６０６およびベースプレート６０２は同じ要素として一体化され得る。いくつかの態様では、一つまたは複数のパワー基板６０６は半田、熱伝導性エポキシ、銀焼結等でベースプレート６０２に取り付けられる。一つの態様では、各スイッチポジション１０４に一つずつ、二つのパワー基板６０６があり得る。
【００４６】
パワーモジュール１００は一つまたは複数のエッジパワーコンタクト６０８を含み得る。一つまたは複数のエッジパワーコンタクト６０８のうち一つの表面はＶ＋端子または第一の端子１０６を形成し得る。一つまたは複数のエッジパワーコンタクト６０８のうち一つの表面は位相端子または第三の端子１１０を形成し得る。一つまたは複数のエッジパワーコンタクト６０８は外部システムと一つまたは複数のパワー基板６０６との間に高電流経路を生成し得る。一つまたは複数のエッジパワーコンタクト６０８はエッチングプロセス、打ち抜き作業等により板金から製造され得る。一つまたは複数のエッジパワーコンタクト６０８は最終的な組み立てをしやすくするために一つまたは複数のエッジパワーコンタクト６０８の曲げが容易になるように部分的な厚みの曲げ補助線を有し得る。一つの態様では、一つまたは複数のエッジパワーコンタクト６０８はキャプティブファスナ６２２に折り重ねられ得る。一つの態様では、一つまたは複数のエッジパワーコンタクト６０８はパワー基板６０６に直接半田付け、超音波接合等され得る。一つまたは複数のエッジパワーコンタクト６０８は表面を保護し、半田付け性を改善するためにニッケル、銀、金等の金属めっきを有し得る。
【００４７】
一つの態様では、エッジパワーコンタクト６０８のベース６３６は取り付けプロセスを行いやすくするために足に分割され得る。ベース６３６は表面を保護し、半田付け性を改善するためにニッケル、銀、および／または金等の金属めっきを有し得る。
【００４８】
パワーモジュール１００は一つまたは複数のスイッチポジション１０４をさらに含む。一つまたは複数のスイッチポジション１０４は制御可能なスイッチと、電流、電圧、および効率についての要求を満たすように並列に配置されたダイオードとの任意の組み合わせを含み得る。パワーデバイス３０２は半田、導電性エポキシ、銀焼結材料等で取り付けられ得る。ゲートおよびソースを含むパワーデバイス３０２上の上側のパッドはパワーワイヤボンド６２８を用いてそれらの各々の場所にワイヤボンディングされ得る。パワーワイヤボンド６２８はアルミニウム、アルミニウム合金、銅等を含んでもよく、これらの両方の足において超音波接合等を行って二つの金属パッド間に導電性アーチを形成してもよい。信号ボンド６２８は類似の方法で形成されてもよく、アルミニウム、金、銅等であってもよい。いくつかの態様では、６２６におけるパワーワイヤボンドのワイヤの直径はパワーワイヤボンド６２８のワイヤよりも小さくてもよい。
【００４９】
パワーモジュール１００は一つまたは複数の温度センサ６１０をさらに含む。一つまたは複数の温度センサ６１０はパワー基板６０６に直接取り付けられた抵抗性温度センサ要素を用いて実装され得る。抵抗温度検出器（ＲＤＴ）タイプセンサ、負の温度係数（ＮＴＣ）タイプセンサ、光学タイプセンサ、サーミスタ、熱電対等を含む他のタイプの温度センサもまた考えられる。一つまたは複数の温度センサ６１０は半田、導電性エポキシ、銀焼結材料等で取り付けられてもよく、次に信号相互接続アセンブリ６１６にワイヤボンディングされ得る。パワーモジュール１００は振動等を検知するひずみゲージを含み得る一つまたは複数の診断センサをさらに含み得る。診断センサは湿度を決定することもできる。さらに、診断センサはあらゆる環境またはデバイスの特性を検知し得る。
【００５０】
パワーモジュール１００はハウジング側壁６１２をさらに含み得る。ハウジング側壁６１２は合成材料で形成され得る。一つの態様では、ハウジング側壁６１２は射出成形プラスチック要素であり得る。ハウジング側壁６１２は電圧の保持および湿度遮断封入成形のための電気的な絶縁、電圧クリーページならびにクリアランス、構造的なサポート、およびキャビティを提供し得る。一つの態様では、ハウジング側壁６１２は強化高温プラスチックを用いた射出成形プロセスで形成され得る。
【００５１】
パワーモジュール１００は中央パワーコンタクト６１４をさらに含み得る。中央コンタクト６１４の表面はＶ−端子または第二の端子１０８を形成し得る。中央パワーコンタクト６１４は外部システムとパワーデバイス３０２との間に高電流経路を生成し得る。中央パワーコンタクト６１４はエッチングプロセス、打ち抜き作業等により板金から製造され得る。中央パワーコンタクト６１４は（図示されるように）ハウジング側壁６１２内に埋め込まれることによって土台となるパワー基板６０６から絶縁されてもよく、または以下で説明されるように二次パワー基板に半田付けまたは接合され得る。中央パワーコンタクト６１４は中央パワーコンタクト６１４をハウジング側壁６１２に留めるための対応するファスナを受けるために図１１に示されるような一つまたは複数のアパーチャ６３２を含み得る。
【００５２】
下側のスイッチポジションのパワーデバイス３０２は、図１１に示されるように、それらの端子から中央パワーコンタクト６１４へ直接ワイヤボンディング６４０され得る。中央パワーコンタクト６１４は最終的な組み立てステージにおいて折りやすくするために部分的な厚みの曲げ補助線６２４を有し得る。中央パワーコンタクト６１４は表面を保護し、半田付け性を改善するためにニッケル、銀、金等の金属めっきを有し得る。
【００５３】
パワーモジュール１００は信号相互接続アセンブリ６１６をさらに含み得る。信号相互接続アセンブリ６１６は信号コンタクトからパワーデバイス３０２への電気的な接続を容易にする小型の信号回路ボードであり得る。信号相互接続アセンブリ６１６はゲートおよびソースケルビン接続とさらなるノードまたは内部検知要素への接続を可能にし得る。信号相互接続アセンブリ６１６はパワーデバイス３０２の各々に対する各々のゲート抵抗器を可能にし得る。信号相互接続アセンブリ６１６はハウジング側壁６１２内に配置されたプリント回路ボード、セラミック回路ボード、フレックス回路ボード、埋め込み金属ストリップ等であり得る。一つの態様では、信号相互接続アセンブリ６１６は複数のアセンブリを含み得る。一つの態様では、信号相互接続アセンブリ６１６は各スイッチポジション１０４に一つずつ、複数のアセンブリを有し得る。
【００５４】
パワーモジュール１００はハウジング蓋６１８をさらに含み得る。ハウジング蓋６１８は合成要素であり得る。一つの態様では、ハウジング蓋６１８は射出成形されたプラスチック要素であり得る。ハウジング蓋６１８は電気的な絶縁、電圧クリーページおよびクリアランス、ならびに構造的なサポートを提供し得る。これに関して、ハウジング蓋６１８はハウジング側壁６１２と共に閉じたアセンブリを形成し得る。閉じたアセンブリは異物がパワーモジュール１００の内部に進入することを防ぎ得る。一つの態様では、ハウジング蓋６１８は強化高温プラスチックを用いた射出成形プロセスで形成され得る。
【００５５】
パワーモジュール１００はファスナ６２０をさらに含み得る。ファスナ６２０はねじ山形成用のねじであり得る。他のタイプのファスナもまた考えられる。ファスナ６２０はハウジング蓋６１８の取り付け、信号相互接続アセンブリ６１６の取り付け、（別の手段により埋め込まれていない場合は）中央パワーコンタクト６１４の埋め込み、ベースプレート６０２へのハウジング側壁６１２の留め等のために使用され得る。
【００５６】
パワーモジュール１００はキャプティブファスナ６２２をさらに含み得る。キャプティブファスナ６２２はハウジング側壁６１２およびハウジング蓋６１８に配置された六角ナットでもよく、それらが折り重ねられた後、エッジパワーコンタクト６０８および中央パワーコンタクト６１４の下に拘束されて保持されてもよい。キャプティブファスナ６２２を実装するために他のタイプのファスナまたはコネクタが考えられる。キャプティブファスナ６２２により外部バスバーまたはケーブルへの電気的な接続が容易になる。キャプティブファスナ６２２はパワーモジュール１００がバスバーにボルトで固定されるときにキャプティブファスナ６２２およびエッジパワーコンタクト６０８がバスへと上向きに引っ張られるように配置され、より良い品質の電気的な接続を形成する。キャプティブファスナ６２２がハウジングに取り付けられる場合、それらはバスをパワーモジュール１００へと押し下げるように振る舞う可能性があり、これはバスバーが固いために接続不良を形成する可能性がある。
【００５７】
一つの態様では、ハウジング蓋６１８はキャプティブファスナ６２２が回転するのを防ぐためにキャプティブファスナ６２２の外部形状と一致する形状を有するアパーチャを含み得る。（図２６に示される）対応するファスナはキャプティブファスナ６２２によって受けられ得る。対応するファスナは外部バスバーまたはケーブルとの電気的な接続を容易にするために中央パワーコンタクト６１４のファスナホール５１２を通って延在する。
【００５８】
一つの態様では、ハウジング側壁６１２はキャプティブファスナ６２２が回転するのを防ぐためにキャプティブファスナ６２２の外部形状と一致する形状を有するアパーチャを含み得る。（図２６に示される）対応するファスナはキャプティブファスナ６２２によって受けられ得る。対応するファスナは外部バスバーまたはケーブルとの電気的な接続を容易にするために一つまたは複数のエッジパワーコンタクト６０８内のファスナホール５１２を通って延在する。
【００５９】
低い内部インダクタンスを達成するために、パワーモジュール１００の電流経路は磁束相殺を達成するために可能な限り幅が広く、長さが短く、重なり合い得る。磁束相殺は、ループを移動する電流が近接して反対方向に移動すると発生し、関連する磁界を効果的に打ち消す。このモジュール手法の主な利益は実装面積の幅全体が導通のために活用されることである。モジュールの高さは電流が移動しなければならない長さを低減するために最小化され得る。
【００６０】
ハーフブリッジ位相レグ用のパワーループが図１１に示されており、詳細を示すためにエッジパワーコンタクト６０８および中央パワーコンタクト６１４が折り畳まれている。幅が広く、薄型のエッジパワーコンタクト６０８および中央パワーコンタクト６１４はパワーデバイス３０２に直接電流をもたらす。端子表面から個々のパワーデバイス３０２までの有効な電流経路は機能的に同等であり得る。加えて、パワーデバイス３０２は近接して配置されてもよく、それらの相対ループインダクタンスにおける不均衡を最小化し、優れた熱結合を確実にする。
【００６１】
図１２Ａは本開示に基づいて構築されたパワーモジュールの位相レグの上面図を示しており、各ノードはハーフブリッジトポロジーにおいて識別されている。図１２Ｂは本開示に基づいて構築されたパワーモジュールの概略的な位相レグを示しており、各ノードは図１２Ａに基づくハーフブリッジトポロジーにおいて識別されている。パワーモジュール１００は一つまたは複数のダイオードを含み得る。一つの態様では、概略図中のダイオードは逆並列に配置されたディスクリートダイオード（図示されていない）であり得る。一つの態様では、概略図中のダイオードは（図示されるように）ＭＯＳＦＥＴとして実装されているパワーデバイス３０２のボディダイオードの表現であり得る。
【００６２】
一つの態様では、電流経路はＶ＋ノード端子６０８で開始してもよく、Ｖ＋ノード端子６０８はパワー基板６３０およびパワーデバイス３０２のうち上側の一つのドレインＤ１に取り付けられてもよい。パワーデバイス３０２のうち上側の一つのソースＳ１は次に下側のパワー基板パッド６３０にワイヤボンディング６２８されてもよく、下側のパワー基板パッド６３０は下側のパワーデバイス３０２のドレインＤ２のみならず位相パワー端子６０８にも取り付けられる。最終的に、下側のパワーデバイス３０２のソースＳ２はＶ−パワーコンタクト端子６１４にワイヤボンディング６２８されてもよく、Ｖ−パワーコンタクト端子６１４はいくらかの重ね合わせを提供する下側のパワー基板６３０の上にあってもよく、土台となる基板６３０から十分に電圧絶縁されてもよい。
【００６３】
図１３は図１２Ａおよび図１２Ｂの位相レグの断面図を示しており、図１４は電流経路を含む図１２Ａおよび図１２Ｂの位相レグの断面図を示している。図１３に示されるように、パワーコンタクトのタブまたは端子１０６、１０８、１１０はパワーモジュール１００構造の最終的な構成に含まれるように折り畳まれている。層の厚みは詳細を示すために誇張されている。電流の流れを可視化するとこの図面中の全ての要素は導体とみなすことができる。
【００６４】
図１３は、段状になった、複数の高さまたは複数の高位の構成をさらに示している。これに関して、端子６１４の垂直位置は端子６０８の垂直位置よりも高く示されている。高さの差は矢印７０２によって示されている。この複数の高さの構成は以下でさらに詳細に説明される重要なループを提供し得る。さらに、複数の高さの構成はバス接続の提供を補助する可能性があり、これについて以下でさらに詳細に説明される。
【００６５】
図１４は、Ｖ＋端子からＶ−端子までの電流経路の重なりを示しており、本開示の態様に基づくクリーンなスイッチングのための重要なループを表している。インダクタンスは経路の長さに比例し、導体の断面積が増加すると減少し、磁場内の磁束相殺によって減少する。識別された経路は端子６０８から開始し、パワー基板６３０を通ってパワーデバイス３０２を横切り、パワーデバイス３０２を通って二次基板６３０に流れ、端子６１４によって出力される。識別された経路は、以下に挙げる要因によりインダクタンスが低い。
モジュールの低い高さ。
端子６０８、６１４へのパワーデバイス３０２の近接。
全機能性要素のタイトなパッキング。
導体の広い断面積。
各パワーデバイス３０２に対して最適に並列接続されたワイヤボンド６２８。
パワーデバイス３０２間の均一な電流分配。
下側のスイッチポジションにおいて電流方向が逆転した時の磁束相殺。
外部Ｖ＋／Ｖ−バスバーにおける磁束相殺。
【００６６】
図１５は本開示の態様に基づき、バスと共にパワーモジュールの接触面を示している。Ｖ＋端子６０８および位相端子６０８の接触面は平面であってもよく、一方でＶ−端子６１４の上部は他からオフセットされている。図１５に示されるように、この特徴により外部Ｖ＋／Ｖ−積層バス８０２、８０４を曲げることなく両方の端子６０８、６１４に接触させることが可能になる。（図１３に示されている）オフセット距離７０２はバスバー金属の厚み関連する誘電体分離膜の厚みに適合するように調整され得る。
【００６７】
ＤＣリンクキャパシタ１０２バンクへのバス８０２、８０４、８０６における最小化された外部インダクタンスと組み合わせられた低内部モジュールインダクタンスにより、電圧オーバーシュートが低く性能が安定したクリーンで急速なスイッチング事象に適したパワーモジュール１００の最適化された構造が得られる。ループインダクタンスが小さいとＤＣリンクキャパシタ１０２に必要とされる総容量は低減される。
【００６８】
これらの利益により、全体としてより低いスイッチング損失、より高いスイッチング周波数、改善された制御性、および低減されたＥＭＩが可能になる。最終的に、これはシステム設計者がよりパワーの密集したロバストなパワー変換システムを達成するのに役立つ。
【００６９】
図１６Ａ、図１６Ｂ、および図１６Ｃは本開示の態様に基づくパワーモジュールの端子の様々な態様を示している。Ｖ−端子６１４がパワーモジュール１００の真ん中にある積層レイアウトはこの設計に不可欠なものである。パワー基板６３０上の出力トレース上に直接据えられるこの端子６１４の好適な電圧絶縁は、絶縁構造を形成する様々な構築により実現され得る。このパワーモジュール１００の設計は以下に挙げるものの各々と置き換えることが可能である。
【００７０】
図１６ＡはＶ−端子６１４の絶縁の一つの態様を示している。この態様では、パワーモジュール１００はＶ−端子６１４の埋め込まれた絶縁体８１０を含み得る。埋め込まれた絶縁体８１０はプラスチックまたは他の合成材料で形成され得る。埋め込まれた絶縁体８１０は中央の領域を埋めるストリップ８１０としてハウジング側壁６１２に位置し得る。一つの態様では、ストリップ８１０はプラスチックで形成され得る。パワーコンタクト６１４はねじ山形成用のねじを用いる等の機械的な留め、プラスチックオーバーモールディングを通す等の直接的な一体化、プラスチックの熱かしめ作業による所定の位置へのリベット留め等を含むいくつかの方法によりストリップ８１０に埋め込まれ得る。
【００７１】
図１６ＢはＶ−端子６１４の絶縁体の別の態様を示している。この態様では、パワーモジュール１００はパワー基板絶縁によりＶ−端子６１４の絶縁を形成し得る。これに関して、二次パワー基板８１２はそのセラミック等の誘電体材料の層を介して絶縁を提供するために活用され得る。この二次パワー基板８１２はパワー基板６３０に対して半田付け、焼結、またはエポキシ樹脂で接着され、一方パワーコンタクト６１４は二次基板上の上側の金属パッドに半田付けまたは接合され得る。この手法の利益は、二次パワー基板８１２が高導電性であり、パワーコンタクト６１４からコールドプレートまたはヒートシンクへの熱除去を容易にさせ得るため、中央パワーコンタクト６１４の熱伝達が改善されることである。
【００７２】
図１６ＣはＶ−端子６１４の絶縁体の別の態様を示している。これに関して、厚膜絶縁体８１４が活用され得る。厚膜絶縁体８１４はパワー基板６３０上に直接印刷された厚膜絶縁体を活用してもよく、電圧遮断を提供してもよい。中央コンタクト６１４はエポキシを介して厚膜絶縁体８１４に取り付けられたり、誘電体膜の上部に印刷された金属厚膜の薄い層に直接半田付けされたりする等してもよい。
【００７３】
他の態様では、Ｖ−端子６１４の絶縁は懸架絶縁（図示されていない）を含み得る。この態様では、中央パワーコンタクト６１４はパワー基板６３０に対して十分な距離で吊り下げられてもよく、埋め込む手法と類似の方法でハウジング側壁６１２に取り付けられてもよい。これに関して、パワーモジュール１００を充填するゲル封入形成により誘電体分離が生じる。しかしながら、中央パワーコンタクト６１４は下側のデバイスとコンタクトとの間のパワーワイヤボンド６２８の形成を妨げることのないように高剛性材料を活用する必要があり得る。
【００７４】
図１７は本開示の態様に基づく並列な複数のデバイスを概略的に示している。特には、図１７は三つのパワーデバイス３０２を示している。これは単なる例示であり、説明と理解を容易にするためのものである。本開示のパワーモジュール１００は任意の数のパワーデバイス３０２を含み得る。
【００７５】
ゲート制御および検知信号はパワーモジュール１００のスイッチング性能に著しく影響し、並列接続されたスイッチポジション１０４において特に重要であり得る。信号ループは高性能、ロバスト性、および均一な電流分配のためにパワーモジュール１００において最適化され得る。パワーループと同様に、経路は長さを制限し、断面積を広くするように構成されてもよく、関連する外部部品は信号端子５０２、５０４に可能な限り物理的に近付けて配置されてもよい。
【００７６】
トランジスタ、特にはＭＯＳＦＥＴ等のパワーデバイス３０２の並列接続されたアレイの場合、一貫したターンオンおよびターンオフ条件をもたらすために、ゲート電流のタイミングおよび大きさのバランスをとらなければならない。パワーモジュール１００はパワーデバイス３２０のゲートに近接して配置され、ゲートワイヤボンドによってのみ分離され得る個々のバラスト抵抗器ＲG1、ＲG2、ＲG3を活用し得る。これらの部品は抵抗が低く、個々のパワーデバイス３０２に流れる電流が緩和しやすくなる。これらの部品はパワーデバイス３０２のゲートを分離するように振る舞い、振動を防いで並列接続されたパワーデバイス３０２のターンオン信号を確実に均等化するのに役立つ。有効なスイッチポジション１０４のターンオン速度を制御するために、単一の外部抵抗器ＲDRIVERを活用し、これらの並列接続された抵抗器ＲG1、ＲG2、ＲG3に接続し得る。
【００７７】
ゲート抵抗器ＲＧ１、ＲＧ２、ＲＧ３は、用途に応じて表面実装パッケージ、一体化した厚膜層、ワイヤボンド可能なチップ等であり得る。
【００７８】
図１８は本開示の態様に基づく有効なゲートスイッチングループの斜視図を示しており、図１９は本開示の態様に基づく有効なゲートスイッチングループの上面図を示している。信号基板または信号相互接続アセンブリ６１６は、信号相互接続アセンブリ６１６のボードのエッジでゲートおよびソースケルビンコネクタ端子５０２、５０４と接続するレール８１６、８１８を有し得る。上側のレール８１８は個々の抵抗器８２０を介してゲートワイヤボンドパッドに接続してもよく、一方下側のレール８１６はパワーデバイス３０２のソースパッドに直接ワイヤボンドしてもよい。これは、ソースケルビンボンドがパワーソースボンドの電流経路内に無いため、真のケルビン接続とみなされ得る。ケルビン接続は、クリーンで効率的な制御のために重要である場合があり、信号ループ上のソース電流への高いドレインの影響を低減する。
【００７９】
図１８および図１９は信号相互接続アセンブリ６１６の左手側上の任意選択的な信号接続５０６、５０８をさらに示している。これらの接続は温度測定または他の形態の内部検知のために使用され得る。いくつかの態様では、内部検知は振動を検知するひずみゲージ、湿度を検知するセンサ等を含み得る診断センサから生成され得る診断信号を含む診断検知を含み得る。さらに、診断センサはあらゆる環境またはデバイスの特性を検知する。一つの態様では、温度センサ６１０は下側の位置に配置され得る。言うまでもなく他の場所または配置もまた考えられる。一つの態様では、ワイヤボンドは（ＩＧＢＴの場合には不飽和保護（ｄｅｓａｔｕｒａｔｉｏｎ ｐｒｏｔｅｃｔｉｏｎ）とも呼ばれる）過電流測定のためにドレイントレースの隣（例えば、パワーデバイス３０２の隣）の上側のパッド上に配置され得る。言うまでもなく過電流測定のための他の場所または配置もまた考えられる。いくつかの態様では、過電流センサまたは不飽和センサはパワーデバイス３０２のドレインへの接続によって決定される電圧降下を感知し得る。いくつかの態様では、電流はパワーデバイス３０２にわたる電圧降下によっても検知することができる。
【００８０】
この信号ループまたは信号相互接続アセンブリ６１６の実装はスイッチポジション１０４内の並列接続されたパワーデバイス３０２の任意の組み合わせにかかる品質管理および測定を確実にし得る。標準ＰＣＢボード間コネクタは外部ゲートドライバおよび制御回路への直接の接続を可能にし得る。
【００８１】
示されるように、このゲート分散ネットワークはＰＣＢを用いて実装され得る。また、一次パワー基板６３０上、ベースプレート６０２上等に直接厚膜回路として形成され得る。これによりパワーモジュール１００の部品数を低減する利益と、ゲート抵抗器８２０を印刷する選択肢が得られる。ゲート抵抗器８２０は、半田端子が不要になる可能性があり、ゲート抵抗器８２０がコールドプレートから積極的に冷却され、部品の熱サイジングの制約が最小限になるため、ＰＣＢ上の表面実装部品よりもはるかに小さくし得る。
【００８２】
図２０は本開示の態様に基づくパワーモジュールを含む部分的で例示的な実装を示している。これに関して、図２０は高性能システムにおける本開示のパワーモジュール１００を実装する代表的で例示的な構造である。この一般的な手法は他の多数の構成およびトポロジーに適用され、変換器においてパワーモジュール１００を活用する方法の有用な例として機能を果たす。この特定の例は、三相モータ駆動用である。この態様では、三つのパワーモジュール１００がある。
【００８３】
本開示のパワーモジュール１００はハーフブリッジ位相レグ（図示されるように、三つ）のアレイで構成され得る。その用途のために必要な電流を増加させるためにさらなるパワーモジュール１００を並列に含めることができる。
【００８４】
図２０の実装はコールドプレート９０２をさらに含み得る。コールドプレート９０２は高性能液体コールドプレート、ヒートシンク等であってもよく、パワーモジュール１００から別のソース（液体、空気等）に廃熱を伝達する機能を果たす。
【００８５】
図２０の実装はＤＣリンクキャパシタ１０２をさらに含み得る。ＤＣリンクキャパシタ１０２はＤＣパワーのソースとパワーモジュール１００とのインターフェースをとるフィルタリングキャパシタとして実装され得る。一つの態様では、ＤＣリンクキャパシタ１０２は単一のキャパシタとして実装され得る。別の態様では、ＤＣリンクキャパシタ１０２は負荷および／または特定の用途のパワー需要に応じてキャパシタの「バンク（ｂａｎｋ）」を形成する複数の部品として実装され得る。
【００８６】
図２０の実装はコールドプレートスタンドオフ９０４をさらに含み得る。コールドプレートスタンドオフ９０４はコールドプレート９０２に対して構造的なサポートを提供し得る。コールドプレートスタンドオフ９０４は図示されるように構成され、パワーモジュール１００の端子１０６、１０８を持ち上げ、キャパシタコンタクト９０６と同一平面内に配置することができる。この態様では、曲がっていない平坦なバスバーは部品を相互に接続することができる。より高いパワー密度または異なるタイプのキャパシタのために、コールドプレートスタンドオフ９０４の高さは変換器の要素に利用可能な形成ファクタを最大限に活用するために調整され得る。これには遷移的に曲げることが必要になる可能性があるため、電気的なループの長さを増やすというトレードオフがあり、システム固有の要件に依存する。
【００８７】
図２１は本開示に基づく例示的な積層バスバーを示しており、図２２は図２１に基づく例示的な積層バスバーの一つの部分を示しており、図２３は図３２に基づく例示的な積層バスバーの別の部分を示している。パワー端子レイアウトは簡潔で効果的なバスバーの相互接続を容易にするように設計され得る。ＤＣリンクキャパシタ１０２とパワーモジュール１００の端子１０６、１０８との間のインダクタンスを最小化するために、バスバー９００は厚い導体９１０、９１２を有してもよく、またバスバー９００の厚い導体９１０、９１２は重なり合ってもよい。厚い導体９１０、９１２は薄い誘電体膜９１４によって分離され得る。電流は厚い導体９１０、９１２の各シートを反対方向に移動し、パワーデバイス３０２とフィルタリングＤＣリンクキャパシタ１０２との間の有効インダクタンスを大幅に低減するように振る舞う。ＤＣリンクキャパシタ１０２との合わせ面にワッシャまたはスペーサの必要性を無くす同一平面のコンタクト９１８を形成するために厚い導体９１０の上側の層をエンボス加工してもよいが、これは電気的な性能に支障をきたす可能性がある。
【００８８】
上記で提示されたシステムレベルのレイアウトに適合する例示的な積層バスバー９００は導体Ｖ＋平面９１２、導体Ｖ−平面９１０、および誘電体膜９１４のうち一つまたは複数を含み得る。
【００８９】
導体Ｖ＋平面９１２はコンタクト９２６を介してパワーモジュール１００のＶ＋端子１０６をコンタクト９２８を介してＤＣリンクキャパシタ１０２のＶ＋端子に接続し、さらに外部接続用の端子９２０を有する。
【００９０】
導体Ｖ−平面９１０はコンタクト９２４を介してパワーモジュール１００のＶ−端子１０８をコンタクト９１８を介してＤＣリンクキャパシタ１０２のＶ−端子に接続し、さらに外部接続用の端子９２２を有する。コンタクト９１８、９２４、９２６、９２８および端子９２０、９２２はそれぞれ電気的な接続を形成するためにファスナを受けるように構成されたファスナアパーチャを用いて実装される。他の電気的な接続の実装もまた考えられる。導体９１０、９１２はアパーチャ９４０を含み得る。導体９１０、９１２のうちの一つにおけるアパーチャ９４０は導体９１０、９１２のうちの別の一つのコンタクトへのアクセスを可能にする。
【００９１】
誘電体膜９１４は導体９１０、９１２の重なり合う金属層の間に配置された薄い電気的な絶縁体として実装され得る。誘電体膜９１４は電気的な安全基準に従って誘電体分離を提供し得る。誘電体膜９１４はインダクタンスを最小化するために可能な限り薄く保たれ得る。膜はまた電気的な接続が必要とされない全ての区域において積層バスバー９００の上部および底部を覆ってもよい。積層バスバー９００のエッジ９１６は幾何学的な形状および利用可能なスペースに応じてピンチシール積層、エポキシシール、誘電体挿入等を含む様々な方法により密封され得る。いくつかの態様では、誘電体膜９１４材料はアクリル接着剤を用いて積層バスバー９００に接着されてもよい。いくつかの態様では、積層バスバー９００はポリマ材料を有するピンチシールを含み得る。いくつかの態様では、積層バスバー９００は続いて圧力、熱、および時間をかけて積層を形成することができる。
【００９２】
いくつかの態様では、バスバー９００および導体９１０、９１２は一般的に平面構造を有する。より具体的には、バスバー９００は図１５に示されるように、一般に平坦な上側の表面および一般に平坦な下側の表面を有し得る。いくつかの態様では、導体９１０、９１２のうち一つの厚さは、誘電体膜９１４と共に、図１３に示されるオフセット距離７０２を画定する。一つの態様では、導体９１０、９１２のうち一つの厚さは誘電体膜９１４と共に０．５ｍｍから１０ｍｍであってもよく、これはオフセット距離７０２に対応する。一つの態様では、導体９１０、９１２のうち一つの厚さは誘電体膜９１４と共に１ｍｍから２ｍｍであってもよく、これはオフセット距離７０２に対応する。一つの態様では、導体９１０、９１２のうち一つの厚さは誘電体膜９１４と共に０．５ｍｍから１ｍｍであってもよく、これはオフセット距離７０２に対応する。一つの態様では、導体９１０、９１２のうち一つの厚さは誘電体膜９１４と共に２ｍｍから３ｍｍであってもよく、これはオフセット距離７０２に対応する。一つの態様では、導体９１０、９１２のうち一つの厚さは誘電体膜９１４と共に３ｍｍから４ｍｍであってもよく、これはオフセット距離７０２に対応する。一つの態様では、導体９１０、９１２のうち一つの厚さは誘電体膜９１４と共に４ｍｍから５ｍｍであってもよく、これはオフセット距離７０２に対応する。一つの態様では、導体９１０、９１２のうち一つの厚さは誘電体膜９１４と共に５ｍｍから６ｍｍであってもよく、これはオフセット距離７０２に対応する。一つの態様では、導体９１０、９１２のうち一つの厚さは誘電体膜９１４と共に６ｍｍから７ｍｍであってもよく、これはオフセット距離７０２に対応する。一つの態様では、導体９１０、９１２のうち一つの厚さは誘電体膜９１４と共に７ｍｍから８ｍｍであってもよく、これはオフセット距離７０２に対応する。一つの態様では、導体９１０、９１２のうち一つの厚さは誘電体膜９１４と共に８ｍｍから９ｍｍであってもよく、これはオフセット距離７０２に対応する。一つの態様では、導体９１０、９１２のうち一つの厚さは誘電体膜９１４と共に９ｍｍから１０ｍｍであってもよく、これはオフセット距離７０２に対応する。
【００９３】
図２４は本開示に基づく位相出力バスバーを示している。三相モータ駆動の場合、この例のように、位相出力９３０はインダクタンスを最小化するために積層または重なり合いを必要としないこともある。これは位相出力バスバー９３０が誘導性負荷を駆動しているためであり、これにより出力経路上のインダクタンスを低減する必要性が制限される。したがって、位相出力バスバー９３０は独立した要素であってもよく、積層ＤＣリンク構造よりもはるかに複雑でなくてもよい。位相出力バスバー９３０は電気的な接続を形成するためにファスナを受けるためのアパーチャ９３４を含み得る。
【００９４】
各位相からの出力電流を測定することは非常に望ましい。これは（分流器（ｓｈｕｎｔ）と呼ばれる）低抵抗値の直列抵抗器を追加してそれにかかる電圧降下を測定すること、電流によって生じる磁場を測定するセンサを含んでコントローラに比例する信号を供給すること等、いくつかの方法により実行することができる。図２４はこのシステムのための出力バスバー９３０の一つと、センサが位置し得る領域内に磁場を集束させるために鉄製シールド９３２を追加することによって測定の正確性を改善するための構成を示している。
【００９５】
位相出力バスバー９３０または導体は各パワーモジュール１００の位相出力端子１１０から外部端子接続までの遷移を提供するように構成され得る。位相出力バスバー９３０または導体の形成および配置は、変化する可能性があり、パワーモジュール１００の固有のトポロジーまたは配置に依存し得る。
【００９６】
鉄製シールド９３２または磁場コンセントレータはセンサが配置され得るターゲット領域内の電流によって生成された磁場を集束させるように構成され得る。これは動作のために必要とされないが、ほとんどの変換器システムにおいて出力電流測定値を抽出するために非常に有利な配置である。
【００９７】
図２５は本開示の態様に基づくパワーモジュールおよび積層バスバーを含む例示的な実装の斜視図を示しており、図２６は図２５に基づくパワーモジュールおよび積層バスバーを含む例示的な実装の第一の断面図を示しており、図２７は図２５に基づくパワーモジュールおよび積層バスバーを含む例示的な実装の第二の断面図を示している。図２５から図２７は上記で説明された積層バスバー９００構造を有するモータ駆動のシステムレイアウトを示している。図２５から図２７に示されるように、システムはパワーモジュール１００アレイ、コールドプレート９０２アセンブリ、ＤＣリンクキャパシタ１０２、ＤＣリンク積層バスバー９００アセンブリ、および出力コンタクトバスバー９３０を含み得る。
【００９８】
ＤＣリンクキャパシタの端子の断面図が図２６に示されている。図２６はバスバー９００において特徴的であるエンボス加工された同一平面上の接続９１８と、あらゆる可能な場所における高度な金属積層を示している。プレート９１０、９１２間の唯一の分離は板金製造プロセス（エンボスツール、ワーク保持、公差等）および誘電体分離９１４（エッジシール、クリーページ、クリアランス）に必要とされる最小区域であり得る。
【００９９】
図２７に示されているパワーモジュール１００にわたる断面はＤＣリンクキャパシタ１０２のバンクからパワーモジュール１００の端子１０６、１０８までの最適化された重なり合う重要なループを示している。これにより実際の代表的な部品および物理的な設計制約を有する図１５において論じられた概念が強化される。
【０１００】
全体として、この低インダクタンス、高電流の相互接続構造は本開示のパワーモジュール設計に必要であり得、またそれによって可能になり得る。同時に、それらはＤＣリンクキャパシタ１０２のバンクとスイッチポジション１０４との間に効果的で高度に一体化された低インダクタンス経路を形成する。この構造によりワイドバンドギャップ半導体等のパワーデバイス３０２の、効率的で安定した、非常に高周波のスイッチングが可能になる。
【０１０１】
図２８は本開示に基づく例示的な単一のモジュールゲートドライバを示している。ゲートドライバはコントローラと高電圧パワーステージとの間の電圧絶縁を提供しながらもスイッチポジション１０４に駆動電流を供給するパワー増幅器として振る舞う。絶縁はドライバ遮断とスイッチポジション１０４との間でも維持され得る。高周波スイッチングの場合、ドライバの出力ステージはスイッチポジション１０４の近くに物理的に配置され得る。
【０１０２】
電圧不足、過電圧、および過電流保護等の安全のためにさらなる機能を含んでもよい。ゲートドライバ回路はパワーモジュール１００が常に安全な動作領域内で機能し、また故障が発生した場合には慎重にシャットダウンするように構成され得る。
【０１０３】
このパワーモジュール設計で、ゲートドライバは積層パワーバス９００の上に直接据え付けられる。それらは単一のＰＣＢとして形成され、パワーモジュール１００と同じモジュール方式でラックアップまたはスケーリングされてもよい。あるいは、ドライバはパワーモジュール１００のアレイにわたる単一のＰＣＢ上一体化されてもよく、サイズを節約しながらもボード上の複数の高電圧ノードに起因して複雑さが増加する。ドライバの出力ステージはモジュール信号ピンと接触するボード間のコネクタのすぐ隣に配置され得る。
【０１０４】
一例である単一のモジュールゲートドライバ４００が図２８に示されている。単一のモジュールゲートドライバ４００要素はスイッチポジション１０４ごとに複製され得る。各ブロックの配置および固有のレイアウトはシステム依存である可能性があり、この図面中では一般化した例として構成されている。
【０１０５】
単一のモジュールゲートドライバ４００要素は制御信号コネクタ４１０、絶縁された電源４２０、信号絶縁およびコンディショニング部品４３０、増幅器ステージ４４０、バルクゲート抵抗器および局所電流フィルタ４５０、センサおよび保護部品４６０、パワーモジュール信号コネクタ４７０、およびクリーページ延長スロット４８０のうち一つまたは複数を含み得る。単一のモジュールゲートドライバ４００はプリント回路ボード（ＰＣＢ４０２）上に配置され得る。
【０１０６】
制御信号コネクタ４１０は、ケーブル、ボード間コネクタ、または類似の機構を介して二つの間で差動制御およびセンサ信号が転送され得るように、コントローラとゲートドライバとのインターフェースをとるように構成され得る。
【０１０７】
絶縁された電源４２０はパワーデバイス３０２のターンオンおよびターンオフに必要な正および負の電圧を供給するＤＣ−ＤＣ変換器として実装され得る。絶縁された電源４２０はパワーデバイス３０２によって必要とされる電流を供給するのに十分に高いパワーであり得る。制御ステージとパワーステージ間の分離はこの遮断の重要な機能である。
【０１０８】
信号絶縁およびコンディショニング部品４３０は低電圧制御と高電圧パワーとの間の制御信号の絶縁を提供し、ドライバの増幅器ステージ４４０の制御信号をコンディショニングするための回路を含み得る。
【０１０９】
増幅器ステージ４４０は、個別のまたは一体化された部品で形成され得る。増幅器ステージ４４０は絶縁された低パワー制御信号を動作するためにスイッチポジション１０４によって必要とされる電流および電圧に変換する。これはクリーンなスイッチングのために可能な限りモジュール信号端子に物理的に近くあるべきである。
【０１１０】
バルクゲート抵抗器および局所電流フィルタ４５０は出力ピン、バルクゲート抵抗器および局所電流フィルタ４５０への遷移の前の最終ステージであり、特定のシステムのニーズに適合させるためにスイッチポジション１０４のターンオンおよびターンオフ時間をチューニングするために使用され得る。これらは単一の受動要素のセット、または異なるスイッチング特性が望まれる場合にターンオンおよびターンオフに対して異なる抵抗値を有するネットワークの一部として存在し得る。局所フィルタはまたスイッチング事象中に高品質の電流源を確実に維持するために使用され得る。
【０１１１】
センサおよび保護部品４６０は回路を含んでもよく、これは過不足電圧保護、過電流保護、温度検知、および故障の発生中に安全にシャットダウンするための機構を含み得る。
【０１１２】
パワーモジュール信号コネクタ４７０はＰＣＢ４０２の下側に配置され得る。パワーモジュール信号コネクタ４７０はゲートドライバとパワーモジュール１００とのインターフェースをとり、パワーモジュール１００内部のゲート分散ネットワークへの直接接続を提供する。これは典型的にボード間コネクタ、直接半田接続等で容易になる。ワイヤからボードへの接続もまた可能であるが、ドライバをパワーモジュール１００に物理的に近くにある必要があり得る。
【０１１３】
クリーページ延長スロット４８０はドライバステージ間の電圧絶縁を改善するように構成されてもよく、部品のよりコンパクトなパッキングを可能にする。高電圧パワーモジュールのサイズが縮小し続けているため、電圧絶縁はますます大きな課題になっている。ＰＣＢ４０２内のスロットのカッティングは、ボードサイズを加えることなく電圧クリーページ距離を増加させるための一つの選択肢であり得る。他の選択肢はクリティカルノードの局所ポッティングおよびコンフォーマルな誘電コーティングを用いたアセンブリ全体を完全に覆うことを含む。より具体的には、ＰＣＢ４０２を含むパワーモジュール１００の様々な部品は一つまたは複数の部品の個別および／または局所ポッティングを含んでもよく、またＰＣＢ４０２を含むパワーモジュール１００の様々な部品は一つまたは複数の部品上のコンフォーマルな誘電コーティング、ＰＣＢ４０２全体、および／またはパワーモジュール１００の他のアセンブリを含んでもよい。
【０１１４】
図２９に示されるように共に一体化される場合、ゲートドライバ４００およびパワーモジュール１００は絶縁、増幅により制御ソースから最適化された低インダクタンス信号フローを有するコンパクト信号ユニットを形成し、次にゲート抵抗器ネットワークを介して並列接続されたパワーデバイス３０２に直接分散される。
【０１１５】
図３０は本開示の態様に基づく電流検知部品を示しており、図３１は図３０に基づく位相出力バスバーを用いて配置された電流検知部品を示している。電流を検知するには複数の方法がある。図３０および図３１に示されている本開示の一つの態様では、非接触磁気センサ９８０が活用され得る。非接触磁気センサ９８０は磁場を集束させるために鉄製シールド９３２を用いて活用され得る。非接触磁気センサ９８０は出力電流に比例する信号を生成するこの領域に配置された小型センサチップを活用し得る。三位相全てに対する単一のＰＣＢ９３６上のセンサの例が図３０に示されており、磁気シールドを有する全出力バスバー構造が図３１に示されている。
【０１１６】
図３２は本開示の態様に基づく例示的な三相モータ駆動パワースタックアップを示している。特には、図３２はこれまでに説明された機能的な部品の全てを有する例示的な三相モータ駆動パワースタックアップを示している。図３２のシステムは高度に一体化されており、ピークの電気的な性能に合わせて大幅に最適化されている。キャパシタバンクの電圧検知およびＥＭＩシールドエンクロージャ等のさらなる特徴が考えられ、この高性能コア内部に適切に一体化されるであろう。
【０１１７】
この例示的な手法は所与の用途に特有のパワー処理の必要性ならびにサイズおよび重量の制限の範囲内でほとんどのシステムに適用可能である。本開示で説明されるパワーモジュール設計およびシステムレベル構造により高レベルのパワー密度および体積活用を達成することが可能になる。
【０１１８】
したがって、本開示は安定性を増加させ、スイッチング損失を減少させ、ＥＭＩを低減し、システム部品にかかる応力を制限するために、ループインダクタンスのような寄生インピーダンスに対処するように構成された改善されたパワーモジュール１００および関連するシステムを明らかにしてきた。特には、本開示のパワーモジュールは開示された配置で、いくつかの態様においてはインダクタンスを１０％も低減する能力を有する。さらに、本開示のパワーモジュール１００はハーフブリッジ構成、フルブリッジ構成、共通ソース構成、共通ドレイン構成、中性点クランプ構成、および三相構成を含む多数のトポロジーで実装され得る。パワーモジュール１００の用途には、モータ駆動、ソーラーインバータ、回路ブレーカ、保護回路、ＤＣ−ＤＣ変換器等を含む。
【０１１９】
本開示の態様は本開示の態様が示されている添付図面を参照して上記で説明されている。しかしながら、本開示は多くの異なる形態で実施されてもよく、上述の態様に限定されるべきでないことを理解されたい。むしろ、これらの態様は本開示が徹底的かつ完全なものであり、また本開示の範囲を当業者に十分に伝えるように提供されている。全体を通して同様の番号は同様の要素を指す。
【０１２０】
第一、第二等の用語が本明細書を通して様々な要素を説明するために使用されているが、これらの要素はこれらの用語によって制限されるべきでないことを理解されたい。これらの用語はある要素を別の要素と区別するためにのみ使用されている。例えば、本開示の範囲から逸脱することなく、第一の要素を第二の要素と呼ぶことができ、同様に、第二の要素を第一の要素と呼ぶことができる。「および／または（ａｎｄ／ｏｒ）」という用語は、関連する列挙された項目のうち一つまたは複数のいくつかおよび全ての組み合わせを含む。
【０１２１】
本明細書で使用される用語は、特定の態様を説明することのみを目的としており、本開示を限定することを意図するものではない。本明細書で使用されるように、単数形の「ａ」、「ａｎ」および「ｔｈｅ」は、文脈が明らかにそうでないことを示さない限り、複数形も含むことを意図している。「備える（ｃｏｍｐｒｉｓｅ）」「備えている（ｃｏｍｐｒｉｓｉｎｇ）」、「含む（ｉｎｃｌｕｄｅ）」および／または「含んでいる（ｉｎｃｌｕｄｉｎｇ）」という用語は、本明細書で使用される場合、記載された特徴、整数、ステップ、動作、要素、および／または部品の存在を明示するが、一つまたは複数の他の特徴、整数、ステップ、動作、要素、部品、および／またはそれらのグループの存在または追加を排除するものではないことをさらに理解されたい。
【０１２２】
層、領域または基板等の要素が別の要素の「上（ｏｎ）」に存在しているかまたは「上へ（ｏｎｔｏ）」延在していると述べられる場合、他の要素の上に直接存在するかまたは上へ直接延在する可能性があり、または介在する要素が存在する可能性もあることを理解されたい。対照的に、ある要素が別の要素の「上に直接（ｄｉｒｅｃｔｌｙ ｏｎ）」存在しているかまたは「上へ直接（ｄｉｒｅｃｔｌｙ ｏｎｔｏ）」延在していると述べられる場合、介在する要素は存在しない。ある要素が別の要素に「接続されて（ｃｏｎｎｅｃｔｅｄ）」いるかまたは別の要素に「結合されて（ｃｏｕｐｌｅｄ）」いると述べられる場合、他の要素に直接接続もしくは結合されるかまたは介在する要素が存在し得ることもまた理解されたい。対照的に、ある要素が別の要素に「直接接続されて（ｄｉｒｅｃｔｌｙ ｃｏｎｎｅｃｔｅｄ）」いるかまたは「直接結合されて（ｄｉｒｅｃｔｌｙ ｃｏｕｐｌｅｄ）」いると述べられる場合、介在する要素は存在しない。
【０１２３】
「よりも下に（ｂｅｌｏｗ）」または「よりも上に（ａｂｏｖｅ）」または「上側の（ｕｐｐｅｒ）」または「下側の（ｌｏｗｅｒ）」または「上部（ｔｏｐ）」または「底部（ｂｏｔｔｏｍ）」等の相対的な用語は、本明細書では図に示される一つの要素、層または領域と別の要素、層または領域との関係を説明するために使用される。これらの用語は、図に描写された方向に加えて、デバイスの異なる方向を包含することを意図していることを理解されたい。
【０１２４】
本開示の態様は、本開示の理想的な実施形態（および介在する構造）の概略図である断面図を参照して本明細書で説明されている。図面中の層および領域の厚さは分かりやすくするために誇張されている場合がある。加えて、例えば製造技術および／または公差の結果としての図の形状からの変形が予想されるべきである。
【０１２５】
図面および明細書において本開示の典型的な態様が開示されてきたが、固有の用語が用いられているもののそれらは一般的かつ説明する意味でのみ使用され、以下の特許請求の範囲で明らかにされている本開示の範囲を限定することを目的とするものではない。
【０１２６】
本開示を例示的な態様に関して説明してきたが、当業者においては本開示が添付の特許請求の範囲の精神および範囲内での調整を加えて実施できることを認識されるであろう。前述の所与のこれらの例は単に例示的なものであり、全ての可能性のある本開示の設計、態様、用途または調整の余すところのないリストの意味を持つものではない。これに関して、様々な態様、特徴、部品、要素、モジュール、配置、回路等は交換可能であり、混在され、適合され、組み合わせられる等すると考えられる。これに関して、本開示の異なる特徴はモジュール式であり、互いに混在させ、そして互いに適合させることができる。
【図１Ａ】
2020504459.tif 000003
【図１Ｂ】
2020504459.tif 000004
【図２】
2020504459.tif 000005
【図３】
2020504459.tif 000006
【図４Ａ】
2020504459.tif 000007
【図４Ｂ】
2020504459.tif 000008
【図５】
2020504459.tif 000009
【図６Ａ】
2020504459.tif 000010
【図６Ｂ】
2020504459.tif 000011
【図７】
2020504459.tif 000012
【図８】
2020504459.tif 000013
【図９】
2020504459.tif 000014
【図１０】
2020504459.tif 000015
【図１１】
2020504459.tif 000016
【図１２Ａ】
2020504459.tif 000017
【図１２Ｂ】
2020504459.tif 000018
【図１３】
2020504459.tif 000019
【図１４】
2020504459.tif 000020
【図１５】
2020504459.tif 000021
【図１６Ａ】
2020504459.tif 000022
【図１６Ｂ】
2020504459.tif 000023
【図１６Ｃ】
2020504459.tif 000024
【図１７】
2020504459.tif 000025
【図１８】
2020504459.tif 000026
【図１９】
2020504459.tif 000027
【図２０】
2020504459.tif 000028
【図２１】
2020504459.tif 000029
【図２２】
2020504459.tif 000030
【図２３】
2020504459.tif 000031
【図２４】
2020504459.tif 000032
【図２５】
2020504459.tif 000033
【図２６】
2020504459.tif 000034
【図２７】
2020504459.tif 000035
【図２８】
2020504459.tif 000036
【図２９】
2020504459.tif 000037
【図３０】
2020504459.tif 000038
【図３１】
2020504459.tif 000039
【図３２】
2020504459.tif 000040
【国際調査報告】
2020504459.tif 000041